(57)【特許請求の範囲】
【請求項１】
つまみの裏面側に周壁で囲まれる凹部を設け、該凹部に一対のねじ穴用突部を設け、前記周壁から該ねじ穴用突部方向に突出するリブを設けて、２枚の板ばねを前記ねじ穴用突部と前記リブとの間に挿入することによって、前記凹部内に２枚の板ばねを、その長手方向がコック本体から伸びる操作軸に直交する態様で、且つ板面を互いに対向させて平行に配置する一方、軸穴を有すると共に前記２枚の板ばねの両端部をコック本体側から支持する裏板を前記ねじ穴用突部のねじ穴に螺合するねじでつまみの裏面に固定し、さらに前記操作軸に平行係合部を設け、該操作軸を前記軸穴に通して平行係合部を前記２枚の板ばねで挟持したことを特徴とするクッション付きつまみ。
【請求項２】
つまみの裏面側に周壁で囲まれる凹部を設け、該凹部内に、コック本体から伸びる操作軸の通る軸穴を有すると共に前記凹部に入り込む突片が前記軸穴を挟んで両側に設けられ、該突片のそれぞれに２本の挿入溝が設けられた裏板を配置して、２枚の板ばねの両端部を該挿入溝に挿入することによって、前記凹部内に２枚の板ばねを、その長手方向が前記操作軸に直交する態様で、且つ板面を互いに対向させて平行に配置すると共に、前記裏板をつまみの裏面に固定し、さらに前記操作軸に平行係合部を設け、該操作軸を前記軸穴に通して平行係合部を前記２枚の板ばねで挟持したことを特徴とするクッション付きつまみ。
【請求項３】
請求項１又は２において、前記裏板とコック側に、操作軸の最大回転位置を規制するストッパを設けたことを特徴とするクッション付きつまみ。
【発明の詳細な説明】
【０００１】
【発明の属する技術分野】
本発明は、コック類のつまみに関する。
【０００２】
【従来の技術】
コック用のつまみは、一般に操作軸に固定されているのが普通であり、つまみに加える力が過大の場合は、弁機構に過大の力がそのまま作用して障害が生じるおそれがある。
【０００３】
【発明が解決しようとする課題】
本発明は、つまみに緩衝性をもたせて、弁機構に過大な力が作用しないようにすることを課題とする。
【０００４】
【課題を解決するための手段】
前記課題を解決するための手段の一つは、請求項１に記載したとおり、つまみの裏面側に周壁で囲まれる凹部を設け、該凹部に一対のねじ穴用突部を設け、前記周壁から該ねじ穴用突部方向に突出するリブを設けて、２枚の板ばねを前記ねじ穴用突部と前記リブとの間に挿入することによって、前記凹部内に２枚の板ばねを、その長手方向がコック本体から伸びる操作軸に直交する態様で、且つ板面を互いに対向させて平行に配置する一方、軸穴を有すると共に前記２枚の板ばねの両端部をコック本体側から支持する裏板を前記ねじ穴用突部のねじ穴に螺合するねじでつまみの裏面に固定し、さらに前記操作軸に平行係合部を設け、該操作軸を前記軸穴に通して平行係合部を前記２枚の板ばねで挟持したことを特徴とするクッション付きつまみ。この手段によれば、つまみに加える力が大になるにつれて、２枚の板ばねはその間隔が広がるように変形して伝達力を緩和する。
【０００５】
また、この手段によれば、板ばねの両端部外側は、つまみの周壁から突出するリブで位置決めされ、板ばねの内側はねじ穴用突部の側面で位置決めされるから、板ばね間に操作軸を挿入する際に、板ばねが倒れず作業性が良い。
【０００６】
別の解決手段は、請求項２に記載したとおり、つまみの裏面側に周壁で囲まれる凹部を設け、該凹部内に、コック本体から伸びる操作軸の通る軸穴を有すると共に前記凹部に入り込む突片が前記軸穴を挟んで両側に設けられ、該突片のそれぞれに２本の挿入溝が設けられた裏板を配置して、２枚の板ばねの両端部を該挿入溝に挿入することによって、前記凹部内に２枚の板ばねを、その長手方向が前記操作軸に直交する態様で、且つ板面を互いに対向させて平行に配置すると共に、前記裏板をつまみの裏面に固定し、さらに前記操作軸に平行係合部を設け、該操作軸を前記軸穴に通して平行係合部を前記２枚の板ばねで挟持したことを特徴とする。この手段によれば、２枚の板ばねは、裏板と一体の突片の挿入溝によって平行に保持されるから、板ばねの保持のための手段をつまみ側に設けなくてもよい。
【０００７】
また他の解決手段は、請求項３に記載したとおり、請求項１又は２において、前記裏板とコック側に、操作軸の最大回転位置を規制するストッパを設けたことを特徴とする。この手段によれば、つまみに加える力がばねの抵抗以上になろうとするとき、つまみとコック側に設けたストッパが当接してつまみのそれ以上の回動が防止される。
【０００８】
【発明の実施の形態】
以下、図面を参照して本発明の実施の形態を説明する。図１はつまみの操作前の状態を示し、図３はつまみを９０°回動した状態を示す。
【０００９】
図１〜３において１はコック、２はコック本体、３は操作軸、４は該操作軸３に取付けたつまみであり、操作軸３の上部には両側面を平面に切除した平行係合部３1と端部を小径にした突起３2が形成されている。つまみ４には、後述するように一対の板ばね１８がその板面を平行にして取付けられ、両板ばね１８で操作軸３の平行係合部３1が弾力的に挟持されている。また、操作軸３の下端にはスリット３3が設けられ、該スリット３3に挿入されたピン１１で弁機構が操作される。
【００１０】
コック本体２は、側部にガスの流入口２1と流出口２2，２3を有し、該コック本体２の内部には、カム部材５、弁体６、芯弁７、電磁安全弁８等が設けられている。そして、コック本体２の上端の開口には、カム受板９が蓋体１０と共に固定され、カム受板９には一対のカム穴９1が設けられている。カム部材５の下端は、弁体６の上端とスプライン接続されており、回転運動は伝えるが上下運動は伝えないようにされている。このような部材を備えるコックは、例えば特開平８−２１６２５号公報に示されて公知である。
【００１１】
カム部材５は、図２に明らかなように上端に上向きの斜面をもつ一対の端面カム５1を有し、該端面カム５1は、常時はカム穴９1から突出しているが、つまみ４の回動により操作軸３を介してカム部材５が回動されたとき、カム穴９1の端面に案内されてカム受板９の下面に沈み、カム部材５は下動した状態で回動が継続され、該カム部材５の外周に設けた図外のストッパがコック本体２側に設けたストッパと当接する位置まで回動できる。このときの回動角度は１２０°で弁体６は強火位置を保ち、つまみ４は点火位置にされる。
【００１２】
また、カム部材５の内周には、操作軸３の下端のスリット３3に介入させたピン１１の両端が係合する内周カム５2が設けられている。該ピン１１は、有底円筒状のバルブセッタ１２を横に貫通してこれと一体化され、該バルブセッタ１２はばね１２1で上向きに弾発されている。バルブセッタ１２の底には、前記芯弁７が保持され、ばね１２2で下向きに弾発されている。芯弁７は、下動時に電磁安全弁８を押して作動状態にすると共に、弁体６の内部の通路を開いて点火バーナに通じる上部の流出口２2に連通させる。
【００１３】
内周カム５2は、図２に示すようにピン１１が矢印Ａで示す方向に操作されたとき接触する上下の垂直面５21，５23と中間の斜面５22、並びに反対側の垂直面５24をもつ。カム部材５は、操作軸３の回動前には図２（Ａ）に示すように端面カム５1がカム穴９1から突出した上部位置にあり、ピン１１は下の垂直面５21に対向した位置にある。操作軸３が開弁方向に回動されると、ピン１１は矢印Ａ方向に進んでカム部材５を回動させ、該カム部材５は、端面カム５1とカム穴９1のカム作用で下動するから、ピン１１は、垂直面５21に圧接した状態で斜面５22に押されて下動し、斜面５22との関係位置を変えることなく図２（Ｂ）のように変位する。
【００１４】
つまみ４を操作前の位置から例えば１２０°回動すると、カム部材５及び弁体６が同一角度回動し、カム部材５が前記図外のストッパで停止される位置まで来ると、従来のコックと同様に流出口２2，２3を全開し、ピン１１の下動でバルブセッタ１２と芯弁７を下動して電磁安全弁８を開き、バーナに流出口２2，２3を経てガスを送り、図外の点火装置により点火される。バーナが点火されて短時間経過すると、バーナの炎により熱起電力装置が作動して電磁安全弁８は開弁位置に保持される。
【００１５】
次に、つまみ４に加える力を解除すると、バルブセッタ１２とピン１１は、操作軸３からスリット３3を介して加えられた拘束が解かれ、ばね１２1に押されて上動し、ピン１１は斜面５22に沿って動くから、ピン１１、バルブセッタ１２、操作軸３は戻り方向に回動し、ピン１１は図２（Ｃ）に示すように上の垂直面５23に達する。このときの戻り回動角は例えば２０°とされる。
【００１６】
つまみ４には、図４で明らかなように周壁１３と裏面側に開放する凹部１４が設けられ、該凹部１４内で裏面に向けて突出する１対のねじ穴用突部１５が設けられ、図３に示すように、両ねじ穴用突部１５，１５の中間の頂部に受穴１６が設けられている。凹部１４には周壁１３側から２対のリブ１７が突設され、図５に示すように、その内面とねじ穴用突部１５の外側面の延長面との間に、１対のばね１８を挿入するばね挿入部１７1が形成され、該挿入部１７1の幅Ｇは、板ばね１８の厚さより僅かに大きく、リブ１７，１７の内端の間隔は、軸３の平行係合部３1の厚さと等しいか少し狭くされる。また、凹部１４内には、板ばね１８の長手方向移動を防止するための凸部１７2が設けられている。
【００１７】
つまみ４の裏面に取付けられる金属製の裏板１９は、中心に軸穴２０が開けられ、長手方向の両側が凹部１４側へ屈曲されて係合部２１とされ、各係合部２１には、図６に示すように、段部２１1と介入部２１2が設けられ、前記ばね挿入部１７1に挿入する２枚の板ばね１８，１８間に介入部２１2が入り込んで板ばね１８が図７（Ｂ）に示すよう撓んだとき、該板ばね１８，１８の最小間隔を保持し、段部２１1によって板ばね１８，１８を押して、つまみ４の頂部側に設けた受部１７3（図３）との間で挟持する。この裏板１９において、２２はねじ２３が通る穴であり、２４はストッパで前記蓋体３に設けたストッパ２５と当接してつまみ４の回動を停止するようにされている。
【００１８】
つまみ４を操作軸３の外端に嵌めて、頂部の受穴１６に突起３2を嵌合させ、板ばね１８，１８で平行係合部３1を挟持させると共に、軸穴２０に操作軸３の中間部を嵌合させると、つまみ４は操作軸３に保持される。この状態でつまみ４を回動すると、操作軸３及びカム部材５も回動して弁部を操作するが弁部側の抵抗が大になるにつれて平行係合部３1の板ばね１８，１８に対する接触点が角部側に移動して板ばね１８，１８の間隔が広くなる。図７（Ａ）はつまみ４の回動前の状態を示し、該つまみ４を反時計方向に回動すると、操作軸３は、弁体６が最大開度になり電磁安全弁８が作動する１２０°まで回動されるが、板ばね１８の撓みにより、つまみ４に加える操作力は緩衝され、カム部材５、弁体６等の部材の回動を阻害する現象が生じたとき、これらを無理に回動して故障が生じるのを防止することができる。そして、操作軸３が１２０°の位置で停止する通常の操作条件下では、つまみ４が板ばね１８の撓みで更にα°回動して回動角がβ°になればストッパ２４，２５によって回動を停止され、板ばね１８に加わるトルクは増大しない。
【００１９】
ばね１８，１８の止着手段としては、前記の実施の形態のものに代えて図８の手段を用いることができる。図８で裏板１９の係合部２１，２１には２個ずつの挿入溝２１3が設けられ、これにばね１８，１８を挿入して該裏板１９をつまみ４に止着すれば、板ばね１８は定位置に保持される。
【００２０】
この場合、板ばね１８，１８は、その長手方向の両端が挿入溝２１3に挿入して取付けられるので、先の例のようなリブは無くてもよい。
【００２１】
また、挿入溝２１3の幅を板ばね１８の板厚より広くすると共に、挿入溝２１3，２１3の間の介入部２１2の幅Ｘは、先の例の介入部２１2の幅のように、板ばね１８が撓んだ時の最小間隔を保持するような間隔にすると良い。
【００２２】
また挿入溝２１3，２１3の外側間の間隔Ｙは先の例のリブ１７の内端間の間隔と同じように、操作軸３の平行部３1の厚さと同じか、それより少し狭ば目が良い。
【００２３】
【発明の効果】
以上の説明から明らかなように、請求項１の手段によれば、つまみに両端を保持させた２枚の板ばねによって操作軸の平行面を挟持したので、つまみに加える力は板ばねの撓みで緩衝され、操作軸に過大な力が加わるのを防止できる利点がある。
【００２４】
請求項２の手段によれば、つまみに裏板を取付けるためのねじ穴用突部とつまみの周壁から伸びるリブで２枚の板ばねが内側及び外側に倒れるのを防止できるから、操作軸を板ばね間に挿入するときの作業性が良好である。
【００２５】
請求項３の手段によれば、２枚の板ばねは、裏板と一体の突片の挿入溝によって平行に保持されるから、該板ばねを保持する手段をつまみ側に設けなくてもよく、つまみの凹部の構造を簡単にすることができる利点がある。
【００２６】
また、請求項４の手段によれば、つまみを回動したとき、操作軸は板ばねを介して緩衝的に駆動され、つまみの最大回動範囲は、つまみと弁本体に設けたストッパで規制されるから、板ばねに加わる最大トルクが制限され操作軸に過大なトルクが加わるのを確実に防止できる利点がある。
【図面の簡単な説明】
【図１】  本発明の実施の形態の縦断面図
【図２】  カム部材の作用説明図
【図３】  つまみを９０°回した縦断面図
【図４】  つまみの横断面図
【図５】  つまみの板ばね保持構造の平面図
【図６】  前記実施の形態の分解斜視図
【図７】  作用説明図
【図８】  他の実施の形態の分解斜視図
【符号の説明】
３  操作軸                  ３2   外端部
３1 平行係合部              ４    つまみ
１４  凹部                    １５  ねじ用突部
１７  リブ                    １８  板ばね
１９  裏板                    ２０  軸穴
２１  係合部
【図１】
0003681846.tif 000002
【図２】
0003681846.tif 000003
【図３】
0003681846.tif 000004
【図４】
0003681846.tif 000005
【図５】
0003681846.tif 000006
【図６】
0003681846.tif 000007
【図７】
0003681846.tif 000008
【図８】
0003681846.tif 000009